(57)【要約】  【課題】半導体関連工場や、化学薬品工場等、外部からのチリやホコリの侵入が問題となる出入口に、防塵用粘着シートを設置する場合に、フォークリフト及び運搬車両が通過する際の防塵用粘着シートの破損に伴う不具合の発生を抑える。  【解決手段】基材の両面に第１及び第２粘着材層３、４を有し、第１粘着材層３に隣接させて剥離部５を設けている防塵用粘着シート１の敷設に、前記防塵用粘着シート１を保持するシート保持部たるシートロール保持部１０１１と、前記シートロール保持部１０１１から供給された防塵用粘着シート１の一方の面を建築床面Ｆに向けて押圧するシート押圧部１０１３と、前記防塵用粘着シート１から剥離した前記剥離部５を巻き取る剥離部巻き取り部１０１４と、建築床面Ｆ上を走行可能にこれらシート保持部１０１１、シート押圧部１０１３、及び剥離部巻き取り部１０１４を支持する走行支持部１０３とを具備することを特徴とする建築床面用シート敷設装置（図中の敷設装置１０）を利用する。  【選択図】図５
2006070629.tif 000002
【特許請求の範囲】
【請求項１】
基材の両面に粘着材層を有し、少なくとも一方の粘着材層に隣接させて剥離部を設けているシートの敷設に用いられるものであって、前記シートを保持するシート保持部と、前記シート保持部から繰り出されたシートのいずれかの面を建築床面に向けて押圧するシート押圧部と、前記シートから剥離した前記剥離部を巻き取る剥離部巻き取り部と、建築床面上を走行可能にこれらシート保持部、シート押圧部、及び剥離部巻き取り部を支持する走行支持部とを具備することを特徴とする建築床面用シート敷設装置。
【請求項２】
建築床面から剥離した前記シートを巻き取り撤去するシート撤去部を具備することを特徴とする請求項１記載の建築床面用シート敷設装置。
【請求項３】
前記シート押圧部の高さ位置を変更可能に構成していることを特徴とする請求項１又は２記載の建築床面用シート敷設装置。
【請求項４】
前記シートの建築床面に向かう面を変更可能であることを特徴とする請求項１、２又は３記載の建築床面用シート敷設装置。
【請求項５】
前記走行支持部が、前記シート押圧部から離間した位置において、前記シートを建築床面に向けて押圧するとともに前記シート上を転動する走行ローラを具備することを特徴とする請求項１、２、３又は４記載の建築床面用シート敷設装置。
【発明の詳細な説明】
【技術分野】
【０００１】
本発明は、建物の入り口等に防塵用粘着シートを設置するのに用いられる建築床面用シート敷設装置に関する。
【背景技術】
【０００２】
従来、半導体関連工場や、化学薬品工場等、外部からのチリやホコリの侵入が問題となる空間の入り口に、防塵用粘着シートを設置して履き物に付着したチリやホコリを除去することが行われてきている。
【０００３】
このような防塵用粘着シートは、例えば、複数枚の粘着フィルムを積層してなり、粘着材層にチリやホコリを吸着させて取り除くとともに、防塵能力を維持できるようにすべく吸着力が低下した粘着フィルムを順次剥がすことが可能に設置することが考えられている。（例えば、特許文献１を参照。）
【特許文献１】特開平１０−１５１１０３号公報
【発明の開示】
【発明が解決しようとする課題】
【０００４】
しかしながら、フォークリフト及び運搬車両が通過する出入口に防塵用粘着シートを上述した構成により設置すると、このような防塵用粘着シートが破損することがある。この際、防塵用粘着シートは表面に露出したものだけでなく、その直下の数枚も同時に破損することが多く、すなわち未使用の粘着シートを破損により取り除くという無駄が生じる。
【０００５】
また、外部からのチリやホコリの侵入が問題となる空間の入り口付近だけでなく、入り口につながる通路一帯にこのような防塵用粘着シートを設置し、より効果的に防塵を行う要望が存在するが、特許文献１記載の構成を採用すると、粘着シートを複数枚積層させた粘着性シート束をこのような通路一帯に敷き詰める必要があり、コストがかさんでしまうのでこのような要望に対応することが困難である。
【０００６】
本発明は、このような課題を解決し、フォークリフト及び運搬車両が通過する出入口、及びこの出入口につながる通路一帯に防塵用粘着シートを設置可能にすべく構成するものである。
【課題を解決するための手段】
【０００７】
すなわち本発明に係る建築床面用シート敷設装置は、基材の両面に粘着材層を有し、少なくとも一方の粘着材層に隣接させて剥離部を設けているシートの敷設に用いられるものであって、前記シートを保持するシート保持部と、前記シート保持部から繰り出されたシートのいずれかの面を建築床面に向けて押圧するシート押圧部と、前記シートから剥離した前記剥離部を巻き取る剥離部巻き取り部と、建築床面上を走行可能にこれらシート保持部、シート押圧部、及び剥離部巻き取り部を支持する走行支持部とを具備することを特徴とする。
【０００８】
このようなものであれば、前記シート保持部から繰り出されたシートを前記シート押圧部により押圧して該シートを建築床面に圧着するとともに、前記シートから剥離した前記剥離部を剥離部巻き取り部により巻き取り、さらに前記走行支持部がこれらシート保持部、シート押圧部、及び剥離部巻き取り部を支持しているので、建築床面上を走行させつつこのようなシートを粘着材層を表出させた状態で床面に直接貼り付けて敷設できるようになり、従って敷設作業を容易に行うことができる。そして、１枚のシートを直接床面に貼り付ける態様を採用しているので、複数枚のシートを重合させて敷設する態様と異なり、このようなシートが破損する場合に他のシートがともに破損することがなく、フォークリフト及び運搬車両が通過する出入口につながる通路一帯にこのようなシートを敷設する態様のランニングコストを低減できる。なお、「建築床面上を走行可能」とは、建築床面上に前記シートを敷設した状態において、該シート上を走行可能であることを含む概念である。
【０００９】
建築床面から剥離した前記シートを巻き取り撤去するシート撤去部を具備するものであれば、多くのチリやホコリ等を吸着して吸着力が弱くなり不要になったシートの除去と新しいシートの敷設とを同時に行えるので、このようなシートの交換に要する時間を短縮でき、この点からもコストの削減を図ることができる。さらに、撤去した前記シートを巻き取った状態で廃棄できるので、不要になったシートの廃棄を容易に行うようにできる。
【００１０】
前記シート押圧部の高さ位置を変更可能に構成しているものであれば、敷設する前記シートの厚さ寸法に対応させて該シート押圧部の高さ位置を変更することにより、厚さ寸法の異なるシートに対応することができる。
【００１１】
前記シートの建築床面に向かう面を変更可能であれば、それぞれの面に粘着力の異なる粘着材層を形成したシートを形成する際に、要求する吸着性能や床面の材質等に応じてより適切な粘着力を有する粘着材層を形成した面を建築床面に圧着するようにできる。
【００１２】
前記走行支持部が、前記シート押圧部から離間した位置において、前記シートを建築床面に向けて押圧するとともに前記シート上を転動する走行ローラを具備するものであれば、前記走行ローラにより前記シートを押圧してより確実にシートを建築床面に接着できるとともに、走行ローラが車輪としての役割を果たすので、シート敷設装置の走行を安定させることができる。
【発明の効果】
【００１３】
本発明に係る建築床面用シート敷設装置は、基材の両面に粘着材層を形成し、一方の粘着材層に隣接させて剥離部を設け、シート保持部から繰り出された１枚のシートのいずれかの面をシート押圧部により建築床面に向けて押圧して建築床面に直接圧着しつつ、前記シートから剥離した前記剥離部を剥離部巻き取り部により巻き取るとともに、走行支持部によりこれらシート保持部、シート押圧部、及び剥離部巻き取り部を建築床面上ないし建築床面上に敷設した前記シート上を走行可能に支持しているので、フォークリフト及び運搬車両が通過する出入口、及びこの出入口につながる通路一帯に防塵用粘着シートを容易にかつ低いコストで設置できる。
【発明を実施するための最良の形態】
【００１４】
以下、本発明の一実施形態を、図面を参照して説明する。
【００１５】
本実施形態に係る建築床面用シート敷設装置（以下単に敷設装置と記す）１０は、以下に述べるような防塵用粘着シート１を建築床面Ｆ上に敷設する際に用いられる。
【００１６】
この防塵用粘着シート１は、図１に概略的に示すように、巻き出し芯材Ｃ１に巻き取った状態で供給され、工場の出入口及びこの出入口につながる通路一帯の建築床面Ｆに敷設されるものである。なお、建築床面Ｆは、本実施形態ではコンクリート床構造体の表面である。
【００１７】
具体的には、断面形状を図２に示すように、オレフィン系樹脂により形成されるシート状の基材２と、前記基材２の一方の面に隣接する第１粘着材層３と、前記基材２の他方の面に隣接する第２粘着材層４と、前記第１粘着材層３の前記基材２と反対側に隣接する剥離部５とを備えた４層構造をなしている。そして、使用の際には、使用状態における断面形状を図３に示すように、前記第２粘着材層４を建築床面Ｆに接着し、前記剥離部５を取り外して前記第１粘着材層３を外部に露出させ、この第１粘着材層３に履き物や運搬機械のタイヤ等に付着したチリやホコリを吸着させる。
【００１８】
さらに詳述すると、前記基材２は、予め無延伸状態のオレフィン系シートの両面にアクリル系粘着材を付着しやすくすべくコロナ放電加工を施して形成している。この基材２の厚さ寸法は、前記通路をフォークリフトが通過した際に破損しない程度の強度を確保しつつコストの低下を図るべく、４０〜１００μｍの範囲で予め定めた値、例えば６０μｍに設定している。
【００１９】
前記第１粘着材層３は、履物や運搬機械のタイヤ等に付着したチリやホコリを吸着するのに十分でかつ歩行の妨げにならない程度の粘着強度を有し、アクリル系粘着剤を前記基材２の一方の面に均一に塗布して形成している。
【００２０】
一方、前記第２粘着材層４は、この防塵用粘着シート１を建築床面Ｆに貼付する際に気泡が前記第２の粘着材層４と建築床面Ｆとの間に閉じこめられる不具合の発生を防ぐとともに、建築床面Ｆに一旦接着し、第１粘着材層３にチリやホコリ等が付着し除塵能力が十分得られなくなった際に建築床面Ｆから剥離する態様に対応すべく、図４に示すように、アクリル系粘着剤を前記基材２の他方の面に縞状に塗付して形成している。すなわち、前記図４の斜線を付した部分にアクリル系粘着剤を塗付しているとともに、前記図４の斜線を付していない部分にはアクリル系粘着剤を塗付せずに通気溝４ｍを形成している。また、この第２粘着材層４の粘着強度は、本実施形態では前記第１粘着材層３を下回るようにしている。
【００２１】
また、前記剥離部５は、予め延伸加工を施したオレフィン系シートにより形成していて、使用の材にはこの剥離部５を前記第１粘着材層３から剥離し、前記第１粘着材層３を露出させて履物や運搬機械のタイヤ等に付着したチリやホコリを吸着する機能を発揮させるようにしている。
【００２２】
そして、この防塵用粘着シート１は、上述したように巻き出し芯材Ｃ１に巻き回されたシートロールＲの形状で供給するようにしているとともに、後述する巻き取り芯材Ｃ２に巻き取って撤去するようにしている。
【００２３】
しかして本実施形態では、上述したように、この防塵用粘着シート１の敷設を前記敷設装置１０を用いて行うようにしているとともに、一旦建築床面Ｆに敷設した防塵用粘着シート１の撤去も、前記敷設装置１０を用いて行うようにしている。
【００２４】
この敷設装置１０は、新たな防塵用粘着シート１を繰り出し供給するシート敷設部１０１と、除塵能力が十分得られなくなった防塵用粘着シート１を撤去するシート撤去部１０２と、建築床面Ｆ上を走行可能にこれらシート敷設部１０１及びシート撤去部１０２を支持する走行支持部１０３と、前記走行支持部１０３に設けられ走行力の供給を受け付ける操作部１０４とを有する。
【００２５】
前記シート敷設部１０１は、前記シートロールＲを保持する、すなわち前記防塵用粘着シート１を保持するシート保持部たるシートロール保持部１０１１と、前記シートロール保持部１０１１から繰り出される防塵用粘着シート１を建築床面Ｆに向けて案内する案内部１０１２と、案内部１０１２により導かれた前記防塵用粘着シート１を建築床面Ｆに圧着するシート押圧部１０１３と、前記防塵用粘着シート１から剥離した前記剥離部５を巻き取る剥離部巻き取り部１０１４とを具備する。
【００２６】
具体的には、前記シートロール保持部１０１１は、ハウジング１０３の幅方向両端に設けられ、前記巻き出し芯材Ｃ１の幅方向両端部を保持することにより、防塵用粘着シート１をシートロールＲごと保持する。
【００２７】
前記案内部１０１２は、例えばゴム状の転動輪を利用して形成していて、前記シートロール保持部１０１１から繰り出された前記防塵用粘着シート１を前記シート押圧部１０１３に向けて案内する。
【００２８】
前記シート押圧部１０１３は、本実施形態ではゴム状のロールであり、その両端部をハウジング１０３に支持させて形成しているとともに、このシート押圧部１０１３を含む敷設装置１０全体の重量の一部を防塵用粘着シート１に掛けてこの防塵用粘着シート１を建築床面Ｆに圧着する。また、本実施形態では、図示しない高さ位置変更機構に接続されていて、この高さ位置変更機構を介して、防塵用粘着シート１の厚さ寸法に応じた前記シート押圧部１０１３の高さ位置の調整、及び防塵用粘着シート１の建築床面Ｆへの押圧力の調整を行うことができるように構成している。
【００２９】
前記剥離部巻き取り部１０１４は、本実施形態では図示しないモータに接続されていて、このモータから動力の供給を受けて前記剥離部５を剥離部巻き取り芯Ｃ３に巻き取る。また、前記剥離部巻き取り芯Ｃ３には、剥離部５の端部を保持する剥離端保持部（図示略）を設け、前記シートロール保持部１０１１に前記シートロールを保持させた際に、剥離部５の端部を前記剥離端保持部に保持させるようにしている。
【００３０】
一方、前記シート撤去部１０２は、建築床面Ｆから剥離した防塵用粘着シート１を巻き取り芯材Ｃ２に巻き取るよう構成している。具体的には、前記巻き出し芯材Ｃ２を保持する保持部１０２１と、建築床面Ｆから剥離した防塵用粘着シート１を前記巻き出し芯材Ｃ２に向けて案内する案内部１０２２とを具備する。前記保持部１０２１は、本実施形態では図示しないモータに接続されていて、このモータから動力の供給を受けて防塵用粘着シート１を巻き取り芯材Ｃ２に巻き取る機能を有する。
【００３１】
また、前記走行支持部１０３は、前記シート敷設部１０１及び前記シート撤去部１０２を収納するハウジング１０３１と、前記ハウジング１０３１の両側縁の前後両端部に設けられ、該ハウジング１０３１を下方から建築床面Ｆ上を走行可能に支持する走行車輪１０３２とを有する。
【００３２】
そして、前記操作部１０４は、本実施形態では前記ハウジング１０３１の後上端部に取り付けられるハンドル状の部材であり、シートの敷設ないし撤去を行う者がこの操作部１０４を把持してシート敷設装置１０を前方に押すことによりこの操作部１０４に操作力が入力されるようにしている。
【００３３】
本実施形態において、防塵用粘着シート１の敷設は、該防塵用粘着シート１を前記シートロール保持部１０１１に保持させ、剥離部５の端部を予め前記剥離端保持部に保持させた後、敷設装置１０を走行させ、シート押圧部１０１３により該防塵用粘着シート１を建築床面Ｆに向けて押圧しつつ行うようにしている。その際、敷設装置１０は、前記モータから前記剥離部巻き取り部１０１４に動力を供給し、剥離部５を剥離部巻き取り芯Ｃ３に巻き取る動作を同時に行う。
【００３４】
一方、防塵用粘着シート１の撤去は、建築床面Ｆから剥離しておいた防塵用粘着シート１の端部を巻き取り芯材Ｃ２に保持させた後、敷設装置１０を走行させ、前記モータから前記保持部１０２１に動力を供給し、防塵用粘着シート１を巻き取り芯材Ｃ２に巻き取る機能を発揮させる。このシート撤去部１０２による防塵用粘着シート１の撤去作業は、敷設装置１０を走行させつつ、前記シート敷設部１０１による防塵用粘着シート１の敷設作業と同時に行うことができる。
【００３５】
本実施形態に係るシート敷設装置１０は、以上に述べたように、防塵用粘着シート１をシートロールＲごと保持するシートロール保持部１０１１と、前記シートロール保持部１０１１から繰り出され供給された防塵用粘着シート１の第２の粘着材層４側の面を建築床面Ｆに向けて押圧するシート押圧部１０１３と、前記防塵用粘着シート１から剥離した前記剥離部５を巻き取る剥離部巻き取り部１０１４とを具備するので、このような防塵用粘着シート１をシート押圧部１０１３により床面Ｆに直接貼り付けて敷設できる。しかも、前記防塵用粘着シート１から剥離した前記剥離部５を剥離部巻き取り部１０１４により巻き取るようにしているとともに、建築床面Ｆ上を走行可能にこれらシートロール保持部１０１１、シート押圧部１０１３、及び剥離部巻き取り部１０１４を含む前記シート敷設部１０１を前記走行支持部１０３に支持させているので、第１の粘着材層４を表出させた状態で建築床面Ｆ上を走行させつつ防塵用粘着シート１を敷設でき、敷設作業を容易に行うことができる。そして、１枚の防塵用粘着シート１を直接建築床面Ｆに貼り付ける態様を採用しているので、このような防塵用粘着シート１が破損する場合に他のシートがともに破損することがなく、フォークリフト及び運搬車両が通過する出入口につながる通路一帯にこのような防塵用粘着シート１を敷設する態様のランニングコストを低減できる。
【００３６】
加えて、建築床面Ｆから剥離した前記防塵用粘着シート１を巻き取るシート巻き取り部１０２２を有するシート撤去部１０２を具備するので、多くのチリやホコリ等を吸着して十分な除塵能力を発揮できなくなった防塵用粘着シート１の除去と新しい防塵用粘着シート１の敷設とを同時に行える。すなわち、このような防塵用粘着シート１の交換に要する時間を短縮でき、この点からもコストの削減を図ることができる。さらに、撤去した防塵用粘着シート１を巻き取り芯材Ｃ２に巻き取った状態で廃棄できるので、不要になった防塵用粘着シート１の廃棄を容易に行うことができる。
【００３７】
なお、本発明は以上に述べた実施形態に限られない。
【００３８】
例えば、上述した実施形態とは逆に、より粘着強度が高い第１粘着材層３側を建築床面Ｆに接着させて建築床面Ｆから剥離しにくくし、より粘着強度が低い第２粘着材層４側を外部に露出させて防塵用粘着シート上をよりスムーズに歩行できるようにする態様を選択してもよい。
【００３９】
このような態様を実現する場合、前記図５の想像線に示すように、上述した実施形態における敷設装置１０のシート敷設部１０１に、シートロール１を逆向きに配置し、剥離部５を予め第１粘着材層から剥ぎ取り前記剥離部巻き取り部１０１４に剥離部５を巻き取るようにしてから防塵用粘着シート１を敷設するようにするとよい。また、この態様においては、第１の粘着材層３も接着剤を格子状に塗工して形成すれば、防塵用粘着シート１を剥がしやすくできるとともに気泡がこの防塵用粘着シート１と建築床面Ｆとの間に閉じこめられる不具合の発生を防ぐことができる。
【００４０】
さらに、基材の両面に粘着材層をそれぞれ有し、両粘着材層に隣接させて剥離部をそれぞれ設けているシートの敷設に本発明に係るシート敷設装置を用いてもよい。この場合、該シート敷設装置に剥離部巻き取り部を２つ設け、例えば、一方の剥離部を予め剥ぎ取り一方の剥離部巻き取り部に巻き取るようにするとともに、他方の剥離部を上述した実施形態のように粘着材層に隣接させた状態のまま建築床面に圧着しそれから該剥離部を他方の剥離部巻き取り部に巻き取る態様を採用するとよい。
【００４１】
また、外部から防塵用粘着シートを切断する命令の入力を受け付けるシート切断操作部と、前記シート切断操作部に対する入力を受けて防塵用粘着シートを切断するシート切断部とを設けてもよい。このようなシート切断操作部及びシート切断部としては、例えば、図示しないスイッチにシート切断操作部を接続するとともに、シート切断部を、前記スイッチへの信号の入力を受けて防塵用粘着シートに移動する刃を利用して構成する態様が考えられる。このように構成すれば、所望の領域に防塵用粘着シートを敷設し終わった後、前記シート切断操作部に対して入力を行うと、前記シート切断部が作動して防塵用粘着シートが切断されるので、敷設作業の終了後に防塵用粘着シートを切断する作業に要する手間を節減できる。
【００４２】
さらに、上述した実施形態では、前記ハウジング１０３１内の後端部近傍にシート押圧部１０１２を設けているとともに、ハウジング１０３１を下方から支持する走行車輪１０３２を後端部の両側縁にそれぞれ設けて走行支持部１０３を形成しているが、図６に示すように、前記ハウジング１０３１内の前後方向中央寄りにシート押圧部１０１２を配置するとともに、前記走行車輪１０３２に代えて巾寸法略一杯に設けた走行ローラ１０３３を前記ハウジング１０３１内の後端部に設けて走行支持部１０３を形成してもよい。このような構成を採用すると、前記シート押圧部１０１２に加え、前記走行ローラ１０３３によっても前記防塵用粘着シート１を建築床面Ｆに押圧するので、より確実に防塵用粘着シート１を建築床面Ｆに接着できる。
【００４３】
そして、シートをシートロールの形状で供給する替わりに、予め切断されたシートを複数枚重合させてシート保持部に保持し、該シート保持部から１枚ずつシートを供給する態様を採用してもよい。
【００４４】
加えて、前記シート押圧部の高さ位置を変更するシート押圧部高さ変更機構を、該シート押圧部を下方に付勢する付勢手段、例えばコイルバネ等を用いて形成してもよい。このようなものであれば、建築床面用シート敷設装置自体の重量に加えて、前記付勢手段がシート押圧部に与える作用をも利用してシートを建築床面に押圧でき、シートの敷設をより確実に行うことができるようになる。
【００４５】
その他、本発明の趣旨を損ねない範囲で種々に変形してよい。
【図面の簡単な説明】
【００４６】
【図１】本発明の一実施形態に係る防塵用粘着シートを示す概略図。
【図２】同実施形態に係る防塵用粘着シートを示す断面図。
【図３】同実施形態に係る防塵用粘着シートの敷設状態を示す断面図。
【図４】同実施形態に係る防塵用粘着シートの第２の粘着材層の塗工態様を示す図。
【図５】同実施形態に係る建築床面用シート敷設装置を示す概略図。
【図６】本発明の他の実施形態に係る建築床面用シート敷設装置を示す概略図。
【符号の説明】
【００４７】
１…防塵用粘着シート
２…基材
３…第１粘着材層
４…第２粘着材層
５…剥離部
１０…敷設装置（建築床面用シート敷設装置）
１０１１…シートロール保持部
１０１３…シート押圧部
１０１４…剥離部巻き取り部
１０２…シート撤去部
１０３…走行支持部
１０３３…走行ローラ
Ｆ…建築床面
【図１】
2006070629.tif 000003
【図２】
2006070629.tif 000004
【図３】
2006070629.tif 000005
【図４】
2006070629.tif 000006
【図５】
2006070629.tif 000007
【図６】
2006070629.tif 000008